(57)【要約】【課題】弾性シートを含む伸縮部材の美観を向上させる。【解決手段】上記課題は、露出部分を有する第２シート層２０Ｂと第１シート層２０Ａとの間に弾性シート３０が介在され、第２シート層２０Ｂ及び第１シート層２０Ａが、間隔を空けて配列された多数のシート接合部４０で、弾性シート３０を貫通する接合孔３１を通じて又は弾性シート３０を介して接合され、少なくとも展開状態で、接合孔３１の縁がシート接合部４０の外周縁から伸縮方向ＥＤに離れて開口する通気孔３３を有し、弾性シート３０の外面の色及び第１シート層２０Ａの外面における通気孔３３から覗く部分の色が、第２シート層２０Ｂを通して透視可能であり、弾性シート３０の外面３０ｓの色及び第１シート層２０Ａの外面２０ｓの色の色差ΔＥが３０以上である、ことを特徴とする伸縮部材により解決される。【選択図】図１６
2020151868.tif 000002
【特許請求の範囲】
【請求項１】
露出部分を有する外側シート層と下シート層との間に弾性シートが介在され、前記外側シート層及び下シート層が、間隔を空けて配列された多数のシート接合部で、弾性シートを貫通する接合孔を通じて又は前記弾性シートを介して接合された、弾性シート伸縮構造を有し、
前記弾性シート伸縮構造を有する領域は、前記弾性シートの収縮により伸縮方向に収縮しているとともに伸縮方向に伸長可能である伸縮領域を有し、
少なくとも展開状態で、前記接合孔の縁が前記シート接合部の外周縁から前記伸縮方向に離れて開口する通気孔を有し、
前記弾性シートの外面の色及び前記下シート層の外面における前記通気孔から覗く部分の色が、前記外側シート層を通して透視可能であり、
前記弾性シートの外面の色及び前記下シート層の外面の色の色差ΔＥが３０以上である、
ことを特徴とする伸縮部材。
【請求項２】
前記下シート層の外面における少なくとも前記露出部分と重なる領域全体に、印刷により着色されているか、又は前記下シート層は原着により着色されており、
前記下シート層の着色は、ＣＩＥＬＡＢのＬ＊値が２０〜６０であり、かつａ＊値及びｂ＊値の少なくとも一方の絶対値が０〜４０であり、
前記弾性シートの外面の色は、ＣＩＥＬＡＢのＬ＊値が５０〜９０であり、かつａ＊値及びｂ＊値の少なくとも一方の絶対値が０〜４０である、
請求項１記載の伸縮部材。
【請求項３】
前記弾性シートの外面における少なくとも前記露出部分と重なる領域全体に、印刷により着色されているか、又は前記弾性シートは原着により着色されており、
前記弾性シートの着色は、ＣＩＥＬＡＢのＬ＊値が２０〜６０であり、かつａ＊値及びｂ＊値の少なくとも一方の絶対値が０〜４０であり、
前記下シート層の外面の色は、ＣＩＥＬＡＢのＬ＊値が５０〜９０であり、かつａ＊値及びｂ＊値の少なくとも一方の絶対値が０〜４０である、
請求項１記載の伸縮部材。
【請求項４】
前記外側シート層は、ＪＩＳ  Ｌ  １９１３：２０１０に規定される透光性（ＪＩＳ法）による透光率が５０％以上の不織布である、
請求項１〜３のいずれか１項に記載の伸縮部材。
【請求項５】
前記伸縮領域は、自然長の状態で前記通気孔が開口している、
請求項１〜４のいずれか１項に記載の伸縮部材。
【請求項６】
前記伸縮領域には、展開状態で、前記シート接合部を有しない部分が連続する無接合帯として、前記伸縮方向に対して鋭角に交わる第１方向に沿って直線的に連続する第１無接合帯が、前記第１方向と直交する方向に間隔を空けて繰り返し存在し、
前記伸縮領域における隣り合う前記第１無接合帯の間には、前記シート接合部及び接合孔が間隔を空けて多数設けられ、
前記第１方向と直交する方向の幅として定まる第１幅が異なる複数本の第１無接合帯を含む単位構造が、前記伸縮領域における前記第１方向と直交する方向に繰り返し存在し、
前記伸縮領域には、展開状態で、前記シート接合部を有しない部分が連続する無接合帯として、前記伸縮方向に対して鋭角に交わる第２方向に沿って直線的に連続する第２無接合帯が、前記第２方向と直交する方向に間隔を空けて繰り返し存在し、
前記伸縮領域における隣り合う前記第２無接合帯の間には、前記シート接合部及び接合孔が間隔を空けて多数設けられ、
前記第２方向と直交する方向の幅として定まる第２幅が異なる複数本の第２無接合帯を含む単位構造が、前記伸縮領域における前記第２方向と直交する方向に繰り返し存在する、
前記第１方向及び第２方向は、前記伸縮方向に対する傾きの正負が互いに逆であり、
前記伸縮領域の展開状態で、前記第１方向及び第２方向の前記伸縮方向に対する鋭角側交差角が、それぞれ５〜４５度である、
請求項５記載の伸縮部材。
【請求項７】
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備えた、パンツタイプの使い捨て着用物品であって、
前記前身頃及び後身頃の少なくとも一方における前記外装体は、少なくとも前後方向の一部の範囲における前記サイドシール部間に対応する幅方向範囲にわたり、請求項１〜６のいずれか１項に記載の弾性シート伸縮構造を、その伸縮領域の伸縮方向が幅方向となるように備えた伸縮部材である、
ことを特徴とする使い捨て着用物品。
【発明の詳細な説明】
【技術分野】
【０００１】
本発明は、弾性フィルム等の弾性シートが第１シート層及び第２シート層で挟まれた伸縮構造を有する伸縮部材及びこの伸縮部材を有する使い捨て着用物品に関する。
【背景技術】
【０００２】
使い捨ておむつ等の使い捨て着用物品においては、身体表面へのフィット性を向上するために、脚周りや胴周り等の適所に伸縮性を付与することが一般的である。伸縮性を付与するための手法としては、従来、糸ゴム等の細長状弾性部材をその長手方向に伸長した状態で取り付ける手法が広く採用されているが、ある程度の幅で伸縮性を付与したい場合には、糸ゴムを幅に間隔を置いて並べて配置した状態で固定する態様が採用されている。また、さらに面としてのフィット性に優れるものとして、弾性シートを伸縮性の付与方向に伸長した状態で取り付ける手法も提案されている。（例えば特許文献１及び特許文献２参照）。
【０００３】
この弾性シートを含む伸縮部材は、第１シート層と第２シート層との間に弾性フィルムが積層されるとともに、弾性フィルムが伸縮方向に伸長された状態で、第１シート層及び第２シート層が、伸縮方向及びこれと直交する方向にそれぞれ間隔を空けて配列された多数の点状のシート接合部で、弾性フィルムに形成された接合孔を通じて接合されてなるものである。そして、この伸縮部材は、自然長状態では、シート接合部間において弾性シートが収縮するのに伴い、シート接合部の間隔が狭くなり、第１シート層及び第２シート層におけるシート接合部間に伸縮方向と交差する方向に延びる襞が形成される。反対に伸長時には、シート接合部間において弾性シートが伸長するのに伴い、シート接合部の間隔及び第１シート層及び第２シート層における襞が広がり、第１シート層及び第２シート層の完全展開状態まで弾性伸長が可能となる。この弾性シートによる伸縮領域は、面的なフィット性に優れるのはもちろん、第１シート層及び第２シート層と弾性シートとの接合が無く、かつ第１シート層及び第２シート層の接合も極めて少ないため非常に柔軟であり、また、弾性シートの接合孔が通気性向上にも寄与するという利点がある。
【０００４】
他方、使い捨て着用物品が下着とともに又は下着に代わるものとして使用されることから、使い捨て着用物品に用いられる伸縮部材は、通気性やフィット性、柔軟性のような機能的要求だけでなく、布に近い外観も求められている。
【０００５】
しかし、従来の弾性シートを含む伸縮部材は、基本的にシート接合部及び弾性フィルムの接合孔が千鳥状等の方向性の無いパターンで配置されているため、襞が形成されるといっても基本的に無地の外観と認識されるものであり、美観に乏しいものであった。
【先行技術文献】
【特許文献】
【０００６】
【特許文献１】特開２０１６−１８９９３２号公報
【特許文献２】特開２０１５−２０４９８２号公報
【特許文献３】特開２０１６−１４０４７７号公報
【特許文献４】特開２０１６−１８９９３１号公報
【特許文献５】特開２０１６−１８９９３３号公報
【特許文献６】特開２０１７−０６４２２４号公報
【特許文献７】特開２０１７−１４８１６９号公報
【特許文献８】特開２０１７−２２５５０８号公報
【発明の概要】
【発明が解決しようとする課題】
【０００７】
そこで、本発明の主たる課題は、弾性シートを含む伸縮部材の美観を向上させることにある。
【課題を解決するための手段】
【０００８】
上記課題を解決した伸縮部材及びこの伸縮部材を有する使い捨て着用物品は以下のとおりである。
＜第１の態様＞
露出部分を有する外側シート層と下シート層との間に弾性シートが介在され、前記外側シート層及び下シート層が、間隔を空けて配列された多数のシート接合部で、弾性シートを貫通する接合孔を通じて又は前記弾性シートを介して接合された、弾性シート伸縮構造を有し、
前記弾性シート伸縮構造を有する領域は、前記弾性シートの収縮により伸縮方向に収縮しているとともに伸縮方向に伸長可能である伸縮領域を有し、
少なくとも展開状態で、前記接合孔の縁が前記シート接合部の外周縁から前記伸縮方向に離れて開口する通気孔を有し、
前記弾性シートの外面の色及び前記下シート層の外面における前記通気孔から覗く部分の色が、前記外側シート層を通して透視可能であり、
前記弾性シートの外面の色及び前記下シート層の外面の色の色差ΔＥが３０以上である、
ことを特徴とする伸縮部材。
【０００９】
（作用効果）
本弾性シート伸縮構造で開口する通気孔は、弾性シートを貫通する接合孔の一部であり、通気性を向上させるものであるため、この通気孔が使用者に視認されるということは製品に機能的美観をもたらすことにほかならない。そして、上述の弾性シート伸縮構造において、外側シート層が不織布等の、ある程度の透光性を有するシートであれば、通気孔の形状がうっすらと透けて見えるものである。しかし、従来のものでは、通気孔の形状が視認しやすいものではなかった。これに対して、本伸縮部材のように、弾性シートの外面の色及び下シート層の外面の色の色差ΔＥが３０以上であると、弾性シートの外面の色と、下シート層の外面における通気孔から覗く部分の色との差により、通気孔の形状が外側シート層を通して視認しやすくなる。その結果、本伸縮部材では美観が向上するものとなる。
【００１０】
＜第２の態様＞
前記下シート層の外面における少なくとも前記露出部分と重なる領域全体に、印刷により着色されているか、又は前記下シート層は原着により着色されており、
前記下シート層の着色は、ＣＩＥＬＡＢのＬ＊値が２０〜６０であり、かつａ＊値及びｂ＊値の少なくとも一方の絶対値が０〜４０であり、
前記弾性シートの外面の色は、ＣＩＥＬＡＢのＬ＊値が５０〜９０であり、かつａ＊値及びｂ＊値の少なくとも一方の絶対値が０〜４０である、
第１の態様の伸縮部材。
【００１１】
（作用効果）
弾性シートの外面の色及び下シート層の外面の色は適宜定めることができるが、本伸縮部材では、弾性シートの外面の色が白又は白に近い薄い色であり、下シート層の外面の色が弾性シートよりも濃い色であるため、通気孔が濃い色、及びそれ以外の部分が薄い色で網目状に見えるようになる。よって、本伸縮部材は、白又は白に近い薄い色が網目状に連続するため、明るい色調とする場合に好適である。また、本伸縮部材では、弾性シートに着色せずに、下シート層に着色するだけで実現可能である点でも好ましい。
【００１２】
＜第３の態様＞
前記弾性シートの外面における少なくとも前記露出部分と重なる領域全体に、印刷により着色されているか、又は前記弾性シートは原着により着色されており、
前記弾性シートの着色は、ＣＩＥＬＡＢのＬ＊値が２０〜６０であり、かつａ＊値及びｂ＊値の少なくとも一方の絶対値が０〜４０であり、
前記下シート層の外面の色は、ＣＩＥＬＡＢのＬ＊値が５０〜９０であり、かつａ＊値及びｂ＊値の少なくとも一方の絶対値が０〜４０である、
第１の態様の伸縮部材。
【００１３】
（作用効果）
弾性シートの外面の色及び下シート層の外面の色は適宜定めることができるが、本伸縮部材では、下シート層の外面の色が白又は白に近い薄い色であり、弾性シートの外面の色が弾性シートよりも濃い色であるため、通気孔が薄い色、及びそれ以外の部分が濃い色で網目状に見えるようになる。よって、本伸縮部材は、濃い色が網目状に連続するため、濃い又は暗い色調とする場合に好適である。また、本伸縮部材では、下シート層に着色せずに、弾性シートに着色するだけで実現可能である点でも好ましい。
【００１４】
＜第４の態様＞
前記外側シート層は、ＪＩＳ  Ｌ  １９１３：２０１０に規定される透光性（ＪＩＳ法）による透光率が５０％以上の不織布である、
第１〜３のいずれか１つの態様の伸縮部材。
【００１５】
（作用効果）
外側シート層の透光性は、弾性シートの外面の色及び前記下シート層の外面における前記通気孔から覗く部分の色が、前記外側シート層を通して透視可能である限り特に限定されるものではないが、透光率が５０％以上の不織布であると、通気孔の形状の視認性に優れるようになるため好ましい。
【００１６】
＜第５の態様＞
前記伸縮領域は、自然長の状態で前記通気孔が開口している、
第１〜４のいずれか１つの態様の伸縮部材。
【００１７】
（作用効果）
通気孔は、接合孔の縁がシート接合部の外周縁から伸縮方向に離れて形成される部分であるため、弾性シートの伸長により変形し、展開状態に近づくほど大きくなる。また、シート接合部の形状（例えば円形）によっては、自然長の状態では接合孔の縁とシート接合部の外周縁とが密着し、通気孔が形成されない場合がある。この場合であっても、装着状態等、ある程度伸長した状態では、接合孔が伸縮方向に伸長されることにより少なくともシート接合部の伸縮方向の両側に通気孔が開口する。しかし、この種の製品は、自然長の状態で販売される。よって、自然長の状態で弾性シートに開口を有していない場合、製品を伸長しない限り、通気性を向上させる美観を感じることができない。よって、本伸縮部材のように、伸縮町域は自然長の状態で通気孔が開口していることが好ましい。
【００１８】
＜第６の態様＞
前記伸縮領域には、展開状態で、前記シート接合部を有しない部分が連続する無接合帯として、前記伸縮方向に対して鋭角に交わる第１方向に沿って直線的に連続する第１無接合帯が、前記第１方向と直交する方向に間隔を空けて繰り返し存在し、
前記伸縮領域における隣り合う前記第１無接合帯の間には、前記シート接合部及び接合孔が間隔を空けて多数設けられ、
前記第１方向と直交する方向の幅として定まる第１幅が異なる複数本の第１無接合帯を含む単位構造が、前記伸縮領域における前記第１方向と直交する方向に繰り返し存在し、
前記伸縮領域には、展開状態で、前記シート接合部を有しない部分が連続する無接合帯として、前記伸縮方向に対して鋭角に交わる第２方向に沿って直線的に連続する第２無接合帯が、前記第２方向と直交する方向に間隔を空けて繰り返し存在し、
前記伸縮領域における隣り合う前記第２無接合帯の間には、前記シート接合部及び接合孔が間隔を空けて多数設けられ、
前記第２方向と直交する方向の幅として定まる第２幅が異なる複数本の第２無接合帯を含む単位構造が、前記伸縮領域における前記第２方向と直交する方向に繰り返し存在する、
前記第１方向及び第２方向は、前記伸縮方向に対する傾きの正負が互いに逆であり、
前記伸縮領域の展開状態で、前記第１方向及び第２方向の前記伸縮方向に対する鋭角側交差角が、それぞれ５〜４５度である、
第５の態様の伸縮部材。
【００１９】
（作用効果）
本伸縮部材によれば、弾性シートが斜め格子状（第１無接合帯及び第２無接合帯が斜めに交差する）に存在し、これが前述の色差により視認しやすくなるため、斜め格子状の優れた美観を呈するようになる。
【００２０】
＜第７の態様＞
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備えた、パンツタイプの使い捨て着用物品であって、
前記前身頃及び後身頃の少なくとも一方における前記外装体は、少なくとも前後方向の一部の範囲における前記サイドシール部間に対応する幅方向範囲にわたり、第１〜６のいずれか１つの態様の弾性シート伸縮構造を、その伸縮領域の伸縮方向が幅方向となるように備えた伸縮部材である、
ことを特徴とする使い捨て着用物品。
【００２１】
（作用効果）
前述の伸縮部材は、本態様のように、パンツタイプの使い捨て着用物品の外装体に好適なものである。
【発明の効果】
【００２２】
本発明によれば、弾性シートを含む伸縮部材の美観が向上する、等の利点がもたらされる。
【図面の簡単な説明】
【００２３】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部のみ示す平面図である。
【図４】（ａ）は図１のＣ−Ｃ断面図、（ｂ）は図１のＥ−Ｅ断面図である。
【図５】図１のＡ−Ａ断面図である。
【図６】図１のＢ−Ｂ断面図である。
【図７】展開状態のパンツタイプ使い捨ておむつの平面図（外面側）である。
【図８】（ａ）は図７のＣ−Ｃ断面図、（ｂ）は図７のＥ−Ｅ断面図である。
【図９】（ａ）は伸縮領域の要部平面図、（ｂ）は（ａ）のＤ−Ｄ断面図、（ｃ）は装着状態における断面図、（ｄ）は自然長状態における断面図である。
【図１０】シート接合部の各種形状を示す平面図である。
【図１１】展開状態の伸縮領域の平面図である。
【図１２】展開状態の伸縮領域の要部を拡大して示す平面図である。
【図１３】自然長状態の伸縮領域の要部を拡大して示す平面図である。
【図１４】（ａ）は図１２のＤ−Ｄ断面図、（ｂ）は自然長状態における断面図である。
【図１５】展開状態の伸縮領域の平面図である。
【図１６】展開状態の伸縮領域の要部を拡大して示す平面図である。
【図１７】自然長状態の伸縮領域の要部を拡大して示す平面図である。
【図１８】ある程度伸長した外装体の要部断面を概略的に示す断面図である。
【図１９】ある程度伸長した外装体の要部断面を概略的に示す断面図である。
【図２０】（ａ）第１溶着形態で形成されたシート接合部の平面写真のトレース図、（ｂ）第３溶着形態で形成されたシート接合部の平面写真のトレース図である。
【図２１】超音波シール装置の概略図である。
【図２２】自然長状態の伸縮領域の要部を拡大して示す平面図である。
【図２３】展開状態の伸縮領域の要部を拡大して示す平面図である。
【図２４】弾性シート伸縮構造を概略的に示す断面図である。
【図２５】（ａ）は非伸縮領域の要部平面図、（ｂ）は（ａ）のＤ−Ｄ断面図、（ｃ）は装着状態における断面図、（ｄ）は自然長状態における断面図である。
【図２６】非伸縮領域の要部平面図である。
【発明を実施するための形態】
【００２４】
以下、使い捨て着用物品の例について、添付図面を参照しつつ詳説する。なお、図中の点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２５】
また、以下の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（同一又は類似の不織布層が積層されたＳＳＳ不織布等の他、異なる不織布層が積層された、スパンボンド層間にメルトブローン層を挟んだＳＭＳ不織布、ＳＭＭＳ不織布等）等に分類されるが、これらのどの不織布も用いることができる。積層不織布は、すべての層を含む一体の不織布として製造され、すべての層にわたる繊維結合加工がなされたものを意味し、別々に製造された複数の不織布をホットメルト接着剤等の接合手段により貼り合わせたものは含まない。
【００２６】
図１〜図６は、パンツタイプ使い捨ておむつを示している。符号ＬＤ（縦方向）は前後方向を、ＷＤは幅方向を示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性のトップシート１１と液不透過性シート１２との間に吸収体１３が介在されてなるものである。製造に際しては、外装体２０の内面（上面）に対して内装体１０の裏面がホットメルト接着剤などの接合手段によって接合された後に、内装体１０及び外装体２０が前身頃Ｆ及び後身頃Ｂの境界である前後方向ＬＤ（縦方向）の中央で折り畳まれ、その両側部が相互に熱溶着又はホットメルト接着剤などによって接合されてサイドシール部２１が形成されることによって、ウエスト開口及び左右一対の脚開口が形成されたパンツタイプ使い捨ておむつとなる。
【００２７】
（内装体の構造例）
内装体１０は、図４〜図６に示すように、トップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図１に示されるようにほぼ長方形とすることが一般的である。
【００２８】
吸収体１３の表側（肌側）を覆うトップシート１１としては、有孔又は無孔の不織布や多孔性プラスチックシートなどが好適に用いられる。
【００２９】
吸収体１３の裏側（非肌当接側）を覆う液不透過性シート１２としては、ポリエチレン又はポリプロピレンなどの液不透過性プラスチックシートを用いることができ、特にムレ防止の点から透湿性を有するもの、例えばポリエチレンやポリプロピレン等のオレフィン樹脂中に無機充填材を溶融混練してシートを形成した後、一軸又は二軸方向に延伸することにより得られる微多孔性シートを好適に用いることができる。
【００３０】
吸収体１３としては、公知のもの、例えばパルプ繊維の積繊体、セルロースアセテート等のフィラメントの集合体、あるいは不織布を基本とし、必要に応じて高吸収性ポリマーを混合又は固着等してなるものを用いることができる。この吸収体１３は、形状及びポリマー保持等のため、必要に応じてクレープ紙等の、液透過性及び液保持性を有する包装シート１４によって包装することができる。
【００３１】
吸収体１３の形状は、股間部に前後両側よりも幅の狭い括れ部分１３Ｎを有するほぼ砂時計状に形成されている。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状がほぼ長方形とされていると、内装体１０における吸収体１３の括れ部分１３Ｎと対応する部分に、吸収体１３を有しない無吸収体側部１７が形成される。
【００３２】
液不透過性シート１２は、トップシート１１とともに吸収体１３の幅方向両側で裏側に折り返されている。この液不透過性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３３】
内装体１０の両側部には脚周りにフィットする立体ギャザー９０が形成されている。この立体ギャザー９０は、図５及び図６に示されるように、内装体１０の裏面の側部に固定された固定部９１と、この固定部９１から内装体１０の側方を経て内装体１０の表面の側部上まで延在する本体部９２と、本体部９２の前後端部が倒伏状態で内装体１０の表面（図示例ではトップシート１１）の側部にホットメルト接着剤９５ｂ等により固定されて形成された倒伏部分９３と、この倒伏部分９３間が非固定とされて形成された自由部分９４とを有している。これらの各部は、不織布などのシートを折り返して二重シートとしたギャザーシート９５により形成されている。ギャザーシート９５は、内装体１０の前後方向全体にわたり取り付けられており、倒伏部分９３は無吸収体側部１７よりも前側及び後側に設けられ、自由部分９４は無吸収体側部１７の前後両側に延在されている。また、二重のギャザーシート９５間には、自由部分の先端部等にギャザー弾性部材９６が配設されている。ギャザー弾性部材９６は、製品状態において図５に示すように、弾性収縮力により自由部分９４を立ち上げるためのものである。
【００３４】
ギャザー弾性部材９６及びギャザーシート９５の固定構造は特に限定されず、例えば図５及び図６に示す例のように、倒伏部分９３以外ではギャザー弾性部材９６の位置のホットメルト接着剤を介して、ギャザー弾性部材９６がギャザーシート９５に接着固定されるとともに、ギャザーシート９５の対向面が接合されているものの、倒伏部分９３では、ギャザー弾性部材９６の位置にホットメルト接着剤が無く、したがってギャザー弾性部材９６とギャザーシート９５とが接着されておらず、ギャザー弾性部材９６を有する位置でギャザーシート９５の対向面が接合されていない構造を採用することができる。
【００３５】
ギャザー弾性部材９６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材９６としては、図示例のような細長状の他、ある程度の幅を有するテープ状のものを用いることもできる。
【００３６】
ギャザーシート９５としては各種不織布を用いることができるが、特にはムレを防止するために坪量を抑えて通気性に優れた不織布を用いるのがよい。さらにギャザーシート９５については、尿などの透過を防止するとともに、カブレを防止しかつ肌への感触性（ドライ感）を高めるために、シリコーン系、パラフィン金属系、アルキルクロミッククロライド系撥水剤などをコーティングした撥水処理不織布を用いるのが望ましい。
【００３７】
図３〜図６に示すように、内装体１０はその裏面が、内外固定領域１０Ｂ（斜線領域）において、外装体２０の内面に対してホットメルト接着剤等により接合される。この内外固定領域１０Ｂは、適宜定めることができ、内装体１０の幅方向ＷＤのほぼ全体とすることもできるが、幅方向両端部は外装体２０に固定しないことが好ましい。
【００３８】
（外装体の構造例）
外装体２０は少なくとも前身頃Ｆの胴周り部Ｔ及び後身頃Ｂの胴周り部Ｔを有するものであり、図示例では前身頃Ｆの胴周り部Ｔ及び後身頃Ｂの胴周り部Ｔの間の前後方向範囲である中間部Ｌをさらに有するものとなっている。外装体２０は図示例のように股間部において外装体２０の側縁が内装体１０の側縁より幅方向中央側に位置していても、また幅方向外側に位置していても良い。
【００３９】
そして、図示例の外装体２０では、その中間部Ｌの前後方向中間を除いて、図２及び図４〜図６に示されるように、第１シート層２０Ａ及び第２シート層２０Ｂの間に、弾性シート３０が介在されるとともに、図９に示されるように、第１シート層２０Ａ及び第２シート層２０Ｂが、間隔を空けて配列された多数のシート接合部４０で弾性シート３０を貫通する接合孔３１を通じて接合された弾性シート伸縮構造２０Ｘを有している。そして、この弾性シート伸縮構造を有する領域は、弾性シート３０の収縮により幅方向に収縮しているとともに幅方向に伸長可能である（つまり伸縮方向ＥＤがおむつの幅方向ＷＤとなる）伸縮領域を有している。
【００４０】
外装体２０の平面形状は、中間部Ｌの幅方向両側縁がそれぞれ脚開口を形成するように凹状の脚周りライン２９により形成されており、全体として砂時計に似た形状をなしている。外装体２０は、前身頃Ｆ及び後身頃Ｂで個別に形成し、両者が股間部でおむつの前後方向ＬＤに離間するように配置しても良い。
【００４１】
図１及び図２に示す形態は、弾性シート伸縮構造２０Ｘがウエスト端部２３まで延在されている形態であるが、ウエスト端部２３に弾性シート伸縮構造２０Ｘを用いると、ウエスト端部２３の締め付けが不十分になる等、必要に応じて、図７及び図８に示すようにウエスト端部２３には弾性シート伸縮構造２０Ｘを設けずに、従来の細長状のウエスト部弾性部材２４による伸縮構造を設けることもできる。ウエスト部弾性部材２４は、前後方向ＬＤに間隔をおいて配置された複数の糸ゴム等の細長状弾性部材であり、身体の胴周りを締め付けるように伸縮力を与えるものである。ウエスト部弾性部材２４は、間隔を密にして実質的に一束として配置されるのではなく、所定の伸縮ゾーンを形成するように前後方向に３〜８ｍｍ程度の間隔を空けて、３本以上、好ましくは５本以上配置される。ウエスト部弾性部材２４の固定時の伸長率は適宜定めることができるが、通常の成人用の場合２３０〜３２０％程度とすることができる。ウエスト部弾性部材２４は、図示例では糸ゴムを用いたが、例えば平ゴム等、他の細長状の伸縮部材を用いても良い。図示しないが、ウエスト端部２３に弾性シート３０を設けるとともに、弾性シート３０と重なる位置に細長状のウエスト部弾性部材２４を設け、両方の弾性部材による伸縮構造とすることもできる。また、図示形態では、外装体２０における脚開口の縁部分には、脚開口に沿って延びる細長状弾性部材は設けられていないが、当該縁部分における弾性シート３０と重なる位置に、又は当該縁部分の弾性シート３０に代えて、細長状弾性部材を設けることもできる。
【００４２】
他の形態としては、図示しないが、前身頃Ｆの胴周り部Ｔと後身頃Ｂの胴周り部Ｔとの間の中間部Ｌには弾性シート伸縮構造２０Ｘを設けない形態としたり、前身頃Ｆの胴周り部Ｔ内から中間部Ｌを経て後身頃Ｂの胴周り部Ｔ内まで前後方向ＬＤに連続的に弾性シート伸縮構造２０Ｘを設けたり、前身頃Ｆ及び後身頃Ｂのいずれか一方にのみ弾性シート伸縮構造２０Ｘを設けたりすること等、適宜の変形も可能である。
【００４３】
（伸縮領域）
外装体２０における弾性シート伸縮構造２０Ｘを有する領域は、幅方向ＷＤに伸縮可能な伸縮領域を有している。伸縮領域８０では、弾性シート３０の収縮力により幅方向ＷＤに収縮しているとともに、幅方向ＷＤに伸長可能となっている。より具体的には、弾性シート３０を幅方向ＷＤに伸長した状態で、幅方向ＷＤ及びこれと直交する前後方向ＬＤ（伸縮方向と直交する方向ＬＤ）にそれぞれ間隔を空けて、弾性シート３０の接合孔３１を介して第１シート層２０Ａ及び第２シート層２０Ｂを接合し、多数のシート接合部４０を形成することにより、弾性シート伸縮構造２０Ｘを形成するとともに、伸縮領域８０では弾性シート３０が幅方向ＷＤに途切れずに残り、かつこの弾性シート３０の収縮力により第１シート層２０Ａ及び第２シート層２０Ｂが収縮して収縮襞２５が形成されるようにシート接合部４０を配置することによって、このような伸縮性を付与することができる。
【００４４】
伸縮領域８０では、図９に示す例のように弾性シート３０が幅方向ＷＤに沿って直線的に連続する部分３２を有していても、図１１に示す例及び図１５に示す例のように有していなくてもよい。
【００４５】
伸縮領域８０は、自然長状態では、図９及び図１４（ｂ）に示すように、シート接合部４０間の第１シート層２０Ａ及び第２シート層２０Ｂが互いに離間する方向に膨らんで、前後方向ＬＤに延びる収縮襞２５が形成され、幅方向ＷＤにある程度伸長した装着状態でも、収縮襞２５は伸ばされるものの、残るようになっている。また、図示形態のように、第１シート層２０Ａ及び第２シート層２０Ｂは、少なくともシート接合部４０における第１シート層２０Ａ及び第２シート層２０Ｂ間以外では弾性シート３０と接合されていないと、装着状態を想定した図９（ｃ）、及び、第１シート層２０Ａ及び第２シート層２０Ｂの展開状態を想定した図９（ａ）からも分かるように、これらの状態では、弾性シート３０における接合孔３１の縁が、シート接合部４０の外周縁から伸縮方向に離れて通気孔３３（隙間）が開口し、弾性シート３０の素材が無孔のフィルムやシートであっても、この通気孔３３により通気性が付加される。特に、弾性シート３０が幅方向ＷＤに沿って直線的に連続する部分３２を有している場合には、自然長状態では、弾性シート３０のさらなる収縮により接合孔３１がすぼまり、接合孔３１とシート接合部４０との間に隙間がほとんど形成されない形態となり、弾性シート３０が幅方向ＷＤに沿って直線的に連続する部分を有していない場合には通気孔３３が残る。
【００４６】
伸縮領域８０の幅方向ＷＤの最大伸びは１９０％以上（好ましくは２００〜２２０％）とすることが望ましい。伸縮領域８０の最大伸びは、製造時の弾性シート３０の伸長率によってほぼ決まるがこれを基本として、幅方向ＷＤの収縮を阻害する要因により低下する。このような阻害要因の主なものは、幅方向ＷＤにおいて単位長さ当たりに占めるシート接合部４０の長さＬの割合であり、この割合が大きくなるほど最大伸びが低下する。通常の場合、シート接合部４０の長さＬはシート接合部４０の面積率と相関があるため、伸縮領域８０の最大伸びはシート接合部４０の面積率により調整できる。
【００４７】
伸縮領域８０の伸長応力は、図９に示す例のように、弾性シート３０が幅方向ＷＤに沿って直線的に連続する部分３２を有している場合には、主に弾性シート３０が幅方向ＷＤに沿って直線的に連続する部分３２（図９（ａ）参照）の直交方向寸法３２ｗの総和（接合孔の間隔３１ｄに等しい）により調整することができる。一方、図１１に示す例及び図１５に示す例のように、弾性シート３０が幅方向ＷＤに沿って直線的に連続する部分を有していない場合には、伸縮領域８０の伸長応力は、シート接合部を有しない部分が連続する無接合帯５１，５２の連続方向と伸縮方向ＥＤとがなす交差角度により調整でき、通常の場合、展開状態で無接合帯５１，５２の連続方向と伸縮方向ＥＤとがなす鋭角側交差角θ１，θ２がそれぞれ０度より大きく４５度以下、特に１０〜３０度の範囲とすることが好ましい。
【００４８】
伸縮領域８０におけるシート接合部４０の面積率及び個々のシート接合部４０の面積は適宜定めることができるが、通常の場合、次の範囲内とするのが好ましい。
シート接合部４０の面積：０．１４〜３．５ｍｍ2（特に０．１４〜１．０ｍｍ2）
シート接合部４０の面積率：１．８〜１９．１％（特に１．８〜１０．６％）
【００４９】
このように、伸縮領域８０の最大伸び及び伸長応力はシート接合部４０の面積により調整できるため、図７に示すように、伸縮領域８０内にシート接合部４０の面積率が異なる複数の領域を設け、部位に応じてフィット性を変化させることができる。図７に示す形態では、脚開口の縁部領域８２は、それ以外の領域と比べてシート接合部４０の面積率が高く、したがって伸長応力が弱く、柔軟に伸縮する領域となっている。
【００５０】
個々のシート接合部４０及び接合孔３１の自然長状態での形状は、適宜定めることができるが、真円形、楕円形、三角形、長方形（図９、図１１、図１５参照）、ひし形（図１０（ｂ）参照）等の多角形、あるいは凸レンズ形（図１０（ａ）参照）、凹レンズ形（図１０（ｃ）参照）、星形、雲形等、任意の形状とすることができる。個々のシート接合部の寸法は特に限定されないが、最大長さ４０ｙ（接合孔３１の直交方向の寸法３１ｙにほぼ等しい）は０．５〜３．０ｍｍ、特に０．７〜１．１ｍｍとするのが好ましく、最大幅４０ｘは０．１〜３．０ｍｍ、特に伸縮方向と直交する方向ＸＤに長い形状の場合には０．１〜１．１ｍｍとするのが好ましい。
【００５１】
伸縮領域８０のシート接合部４０の配列パターンは、特に限定されず、あらゆるパターン（例えば特許文献１〜８参照）を採用することができるが、特に、図９に示す例、図１１に示す例及び図１５に示す例のように、シート接合部を有しない部分が連続する無接合帯が斜め格子状に存在するものであると好ましい。図示例は、中でも特に好ましい例を示しており、伸縮領域８０には、展開状態で、シート接合部４０を有しない部分が連続する無接合帯５１，５２として、伸縮方向ＥＤに対して鋭角（鋭角側交差角θ１）に交わる第１方向５１ｄに沿って直線的に連続する第１無接合帯５１が、第１方向５１ｄと直交する方向に間隔を空けて繰り返し存在する。また、伸縮領域８０における隣り合う第１無接合帯５１の間には、シート接合部４０及び接合孔３１が間隔を空けて多数設けられる。そして特徴的には、第１方向５１ｄと直交する方向の幅として定まる第１幅５１ｗが異なる複数本の第１無接合帯５１を含む単位構造が、伸縮領域８０における第１方向５１ｄと直交する方向に繰り返し存在する。
【００５２】
このように、第１幅５１ｗが異なる複数本の第１無接合帯５１を含む単位構造が、伸縮領域８０における第１方向５１ｄと直交する方向に繰り返し存在すると、第１無接合帯５１の内部の弾性シート３０の連続部にも、同様の大小関係の幅変化が形成される。つまり、第１無接合帯５１の幅５１ｗが狭ければ、内部の弾性シート３０の連続部の幅も狭くなり、第１無接合帯５１の幅５１ｗが広ければ、内部の弾性シート３０の連続部の幅も広くなる。そして、第１無接合帯５１内の弾性シート３０の連続部に、第１幅５１ｗの変化があると、幅の広い第１無接合帯５１内の弾性シート３０の連続部及び幅の狭い第１無接合帯５１内の弾性シート３０の連続部の双方が視覚的に強調される結果、伸縮領域８０が自然長状態（図１３及び図１７参照）であっても、ある程度伸長した装着状態であっても、斜め縞模様の美しい外観を呈することとなる。すなわち、ある程度収縮した状態では、第１無接合帯５１における収縮襞２５の大きさが、第１無接合帯５１の第１幅５１ｗに応じて変化するため、この収縮襞２５の影響により斜め縞模様がよりはっきりと現出するようになる。
【００５３】
上述の単位構造は、第１幅５１ｗが異なる複数本の第１無接合帯５１を含む限り、その幅５１ｗの大小の程度により限定されるものではないが、第１無接合帯５１における第１幅５１ｗは、最も近い幅５１ｗの第１無接合帯５１に対して、大きい場合には１．２〜６０倍、小さい場合には０．０１〜０．８倍であることが好ましい。
【００５４】
また、上述の単位構造は、第１幅５１ｗが異なる複数本の第１無接合帯５１を含む限り、すべての第１無接合帯５１における第１幅５１ｗが異なっていてもよいし、図示するように一部の複数本の第１無接合帯５１における第１幅５１ｗと、他の単数又は複数本の第１無接合帯５１の第１幅５１ｗとが異なっていてもよい。
【００５５】
伸縮領域８０に、第１無接合帯５１の収縮襞２５及びその内部の弾性シート３０の連続部による第１方向５１ｄに沿う斜め縞模様が現出するとしても、同一の伸縮領域８０に他の斜め方向に沿う斜め縞模様がより強く視認されると、第１無接合帯５１の収縮襞２５及びその内部の弾性シート３０の連続部による斜め縞模様が目立たなくなるおそれがある。これに対して、第１無接合帯５１における第１幅５１ｗの最大値が、傾斜方向が異なる及び共通するすべての無接合帯５１，５２における連続方向と直交する方向の幅の最大値となっていると、伸縮領域８０内では第１無接合帯５１の収縮襞２５及びその内部の弾性シート３０の連続部による斜め縞模様が、より強く視認されるようになるため好ましい。この場合における、第１無接合帯５１における第１幅５１ｗの最大値は適宜定めることができるが、最も近い幅５１ｗの第１無接合帯５１に対して１．２〜６０倍であることが好ましい。なお、第１無接合帯５１を含むすべての無接合帯５１，５２は、連続方向と直交する方向の幅が限定されるものではないが、通常の場合０．０２〜５ｍｍの範囲内であることが好ましい。いうまでもないが、無接合帯５１，５２の連続方向と直交する方向の幅は、第１無接合帯５１にあっては第１幅５１ｗのことであり、直線的に連続する部分であるため等幅である。
【００５６】
隣り合う第１無接合帯５１における第１方向５１ｄと直交する方向の間隔として定まる第１間隔５１ｓは適宜定めることができる。よって、この第１間隔５１ｓは、隣り合う第１無接合帯５１における第１幅５１ｗと同じにしても、より広くしても、より狭くしてもよい。一つの好ましい例としては、単位構造における、第１無接合帯５１における第１幅５１ｗの最大値が第１間隔５１ｓの最大値よりも小さい形態を挙げることができる。このように、単位構造に広い間隔部分を形成することにより、第１無接合帯５１の収縮襞２５及びその内部の弾性シート３０の連続部による斜め縞模様が、より強く視認されるようになる。この場合における、第１無接合帯５１における第１幅５１ｗの最大値は適宜定めることができるが、第１間隔５１ｓの最大値の０．０１〜９倍であると好ましい。なお、第１無接合帯５１を含むすべての無接合帯５１，５２における連続方向と直交する方向の間隔は特に限定されるものではないが、通常の場合０．３〜５０ｍｍの範囲内であることが好ましい。いうまでもないが、無接合帯５１，５２における連続方向と直交する方向の間隔は、第１無接合帯５１にあっては第１間隔５１ｓのことであり、連続方向に等しくなるものである。
【００５７】
伸縮領域８０には、無接合帯５１，５２として、第１方向５１ｄ以外の、伸縮方向ＥＤに対して鋭角（鋭角側交差角θ２）に交わる第２方向５２ｄに沿って直線的に連続する第２無接合帯５２が、第２方向５２ｄと直交する方向に間隔を空けて繰り返し存在してもよいし、第２無接合帯５２が存在しなくてもよい。第２無接合帯５２を有する一つの好ましい形態は、伸縮領域８０には、無接合帯５１，５２が斜め格子状に形成されており、第１無接合帯５１は、斜め格子状の無接合帯５１，５２における一方の方向に連続する部分であり、第２無接合帯５２は、斜め格子状の無接合帯５１，５２における他方の方向に連続する部分であるとものである。この場合、第１方向５１ｄ及び第２方向５２ｄは、伸縮方向ＥＤに対する傾きの正負が互いに逆となる。なお、図１１に示す例及び図１５に示す例のように、幅方向ＷＤ（伸縮方向ＥＤ）に連続する無接合帯５１，５２を有しない形態であっても、伸縮領域８０の展開状態で、第１方向５１ｄ及び第２方向５２ｄの伸縮方向ＥＤに対する鋭角側交差角θ１，θ２がそれぞれ５〜４５度、特に１０〜３０であることにより、伸縮領域８０における伸縮性を十分に確保することができる。
【００５８】
ただし、同一の伸縮領域８０に第２無接合帯５２の斜め方向に沿う斜め縞模様がより強く視認されると、第１無接合帯５１の収縮襞２５及びその内部の弾性シート３０の連続部による斜め縞模様が目立たなくなるおそれがある。よって、図１５に示す例のように第２無接合帯５２を有する場合、第２無接合帯５２における第２方向と直交する方向の幅として定まる第２幅５２ｗがすべて同一であるか、又は、第２無接合帯５２を有しないようにシート接合部４０を配置することが望ましい。これにより、伸縮領域８０内では第１無接合帯５１の収縮襞２５及びその内部の弾性シート３０の連続部による斜め縞模様が、より強く視認されるようになる。
【００５９】
他方、隣り合う第１無接合帯５１の間には、シート接合部４０を第１方向５１ｄに整列させることとなるが、この場合例えば図１６に示すように、シート接合部４０はすべて、伸縮方向ＥＤと直交する方向に対する長手方向の鋭角側交差角θ３が１０度以内、かつ伸縮方向ＥＤの最大寸法４０ｅが０．１〜０．４ｍｍの細長状をなしていると、第１無接合帯５１の伸縮方向ＥＤの寸法をより大きく確保することができ、伸縮性の低下を抑制することができるため好ましい。
【００６０】
また、図１１に示す例のように、単位構造に、第１幅５１ｗが最大となる広幅第１無接合帯５１、及びこれよりも第１幅５１ｗが狭い狭幅第１無接合帯５１を、それぞれ第１方向５１ｄと直交する方向に隣接して複数本含む場合、隣り合う広幅第１無接合帯５１の間には、第２方向５２ｄに対する長手方向の鋭角側交差角が５度以内、かつその長手方向と直交する方向の最大寸法４０ｆが０．１〜０．４ｍｍの細長状をなすシート接合部４０が、第１方向５１ｄに間隔を空けて整列されていると好ましい。また、隣り合う狭幅第１無接合帯５１の間には、第１方向５１ｄに対する長手方向の鋭角側交差角θ３が４５度以上、かつその長手方向と直交する方向の最大寸法４０ｇが０．１〜０．４ｍｍの細長状をなすシート接合部４０が、第１方向５１ｄに間隔を空けて整列されていると好ましい。このようなシート接合部４０の形状及び配置により、より少ないシート接合部４０の面積で、第１無接合帯５１の収縮襞２５及びその内部の弾性シート３０の連続部が特に視覚的に強調されるようになる。
【００６１】
隣り合う無接合帯５１，５２の間に位置するシート接合部４０の列（無接合帯５１，５２の連続方向の列）は、一列であっても複数列であってもよい。また、列の方向におけるシート接合部４０の間隔は規則的であることが好ましいが、すべての間隔が一定である必要はなく、一部の間隔が異なっていてもよい。
【００６２】
（非伸縮領域）
外装体２０における弾性シート伸縮構造２０Ｘを有する領域には、図７に示すように、伸縮領域８０の少なくとも幅方向一方側に非伸縮領域７０を設けることができる。非伸縮領域７０は、伸縮方向の最大伸びが１２０％以下を意味する。非伸縮領域７０の最大伸びは１１０％以下であると好ましく、１００％であるとより好ましい。伸縮領域８０及び非伸縮領域７０の配置は適宜定めることができる。本例のようなパンツタイプ使い捨ておむつの外装体２０の場合、吸収体１３と重なる部分は伸縮が不要な領域であるため、図示形態のように、吸収体１３と重なる部分の一部又は全部（内外固定領域１０Ｂのほぼ全体を含むことが望ましい）を非伸縮領域７０とするのは好ましい。もちろん、吸収体１３と重なる領域からその幅方向ＷＤ又は前後方向ＬＤに位置する吸収体１３と重ならない領域にかけて非伸縮領域７０を設けることもでき、吸収体１３と重ならない領域にのみ非伸縮領域７０を設けることもできる。
【００６３】
非伸縮領域７０における個々のシート接合部４０の形状は、特に限定されず、伸縮領域８０の項で述べたものと同様の形状から適宜選択することができる。
【００６４】
また、非伸縮領域におけるシート接合部４０の面積率及び個々のシート接合部４０の面積は適宜定めることができるが、通常の場合、次の範囲内とすると、各シート接合部４０の面積が小さくかつシート接合部４０の面積率が低いことにより非伸縮領域７０が硬くならいためが好ましい。
シート接合部４０の面積：０．１０〜０．７５ｍｍ2（特に０．１０〜０．３５ｍｍ2）
シート接合部４０の面積率：４〜１３％（特に５〜１０％）
【００６５】
非伸縮領域７０は、弾性シート３０の収縮力により第１シート層２０Ａ及び第２シート層２０Ｂが収縮して襞が形成されないようにシート接合部４０を密に配置すること等によって形成することができる。非伸縮領域７０の形成手法の具体例としては、例えば特許文献３〜６記載のものを挙げることができる。図２５及び図２６は、特許文献６記載の非伸縮領域７０の例を示している。この非伸縮領域７０では、接合孔３１がある程度以上密な配置で千鳥状に配列され、弾性シート３０が伸縮方向ＥＤに連続するものの、接合孔３１の存在により伸縮方向ＥＤに沿って直線的に連続する部分を有しないものである。この場合、図２５及び図２６に示すように、自然長の状態及び展開状態のいずれでもほぼ変わりない大きさで通気孔３３（隙間）が開口する。
【００６６】
（シート接合部の接合構造）
シート接合部４０における第１シート層２０Ａ及び第２シート層２０Ｂの接合は、弾性シート３０に形成された接合孔３１を通じて接合される場合、少なくともシート接合部４０における第１シート層２０Ａ及び第２シート層２０Ｂ間以外では、第１シート層２０Ａ及び第２シート層２０Ｂは弾性シート３０と接合されていないことが望ましい。
【００６７】
シート接合部４０における第１シート層２０Ａ及び第２シート層２０Ｂの接合手段は特に限定されない。例えば、シート接合部４０における第１シート層２０Ａ及び第２シート層２０Ｂの接合はホットメルト接着剤によりなされていても、ヒートシールや超音波シール等の素材溶着による接合手段によりなされていても良い。
【００６８】
シート接合部４０において第１シート層２０Ａ及び第２シート層２０Ｂが弾性シート３０の接合孔３１を通じて接合される場合、シート接合部４０が素材溶着により形成される形態は、シート接合部４０における第１シート層２０Ａ及び第２シート層２０Ｂの少なくとも一方の大部分又は一部の溶融固化物２０ｍのみにより第１シート層２０Ａ及び第２シート層２０Ｂが接合される第１溶着形態（図１８（ａ）参照）、シート接合部４０における弾性シート３０の全部若しくは大部分又は一部の溶融固化物３０ｍのみにより第１シート層２０Ａ及び第２シート層２０Ｂが接合される第２溶着形態（図１８（ｂ）参照）、及びこれらの両者が組み合わさった第３溶着形態（図１８（ｃ）参照）のいずれでも良いが、第２、第３溶着形態が好ましい。
【００６９】
特に好ましいのは、第１シート層２０Ａ及び第２シート層２０Ｂの一部の溶融固化物２０ｍと、シート接合部４０における弾性シート３０の全部若しくは大部分の溶融固化物３０ｍとにより第１シート層２０Ａ及び第２シート層２０Ｂが接合される形態である。なお、図２０（ｂ）に示される第３溶着形態では、黒色に写っている第１シート層２０Ａ又は第２シート層２０Ｂの繊維の溶融固化物２０ｍ間に、白色に写っている弾性シート３０の溶融固化物３０ｍが見られるのに対して、図２０（ａ）に示される第１溶着形態では、第１シート層２０Ａ又は第２シート層２０Ｂの繊維の溶融固化物２０ｍ間に弾性シート３０の溶融固化物は見られない。
【００７０】
第１接着形態や第３接着形態のように、第１シート層２０Ａ及び第２シート層２０Ｂの少なくとも一方の大部分又は一部の溶融固化物２０ｍを接着剤として第１シート層２０Ａ及び第２シート層２０Ｂを接合する場合、第１シート層２０Ａ及び第２シート層２０Ｂの一部は溶融しない方がシート接合部４０が硬質化しないため好ましい。
【００７１】
なお、第１シート層２０Ａ及び第２シート層２０Ｂが不織布であるときには、第１シート層２０Ａ及び第２シート層２０Ｂの一部が溶融しないことには、シート接合部４０の全繊維について芯（複合繊維における芯だけでなく単成分繊維の中心部分を含む）は残るがその周囲部分（複合繊維における鞘だけでなく単成分繊維の表層側の部分を含む）は溶融する形態や、一部の繊維は全く溶融しないが、残りの繊維は全部が溶融する又は芯は残るがその周囲部分は溶融する形態を含む。
【００７２】
第２溶着形態及び第３溶着形態のように、弾性シート３０の溶融固化物３０ｍを接着剤として第１シート層２０Ａ及び第２シート層２０Ｂを接合すると、剥離強度が高いものとなる。第２溶着形態では、第１シート層２０Ａ及び第２シート層２０Ｂの少なくとも一方の融点が弾性シート３０の融点及びシート接合部４０形成時の加熱温度よりも高い条件下で、第１シート層２０Ａ及び第２シート層２０Ｂ間に弾性シート３０を挟み、シート接合部４０となる部位を加圧・加熱し、弾性シート３０のみを溶融することにより製造することができる。
【００７３】
一方、第３溶着形態では、第１シート層２０Ａ及び第２シート層２０Ｂの少なくとも一方の融点が弾性シート３０の融点よりも高い条件下で、第１シート層２０Ａ及び第２シート層２０Ｂ間に弾性シート３０を挟み、シート接合部４０となる部位を加圧・加熱し、第１シート層２０Ａ及び第２シート層２０Ｂの少なくとも一方と弾性シート３０とを溶融することにより製造することができる。
【００７４】
このような観点から、弾性シート３０の融点は８０〜１４５℃程度のものが好ましく、第１シート層２０Ａ及び第２シート層２０Ｂの融点は８５〜１９０℃程度、特に１５０〜１９０℃程度のものが好ましく、第１シート層２０Ａ及び第２シート層２０Ｂの融点と弾性シート３０の融点との差は６０〜９０℃程度であるのが好ましい。また、加熱温度は１００〜１５０℃程度とするのが好ましい。
【００７５】
第２溶着形態及び第３溶着形態では、第１シート層２０Ａ及び第２シート層２０Ｂが不織布であるときには、弾性シート３０の溶融固化物３０ｍは、図１９（ｃ）に示すようにシート接合部４０における第１シート層２０Ａ及び第２シート層２０Ｂの厚み方向全体にわたり繊維間に浸透していても良いが、図１９（ａ）に示すように厚み方向中間まで繊維間に浸透する形態、又は図１９（ｂ）に示すように第１シート層２０Ａ及び第２シート層２０Ｂの繊維間にほとんど浸透しない形態の方が、シート接合部４０の柔軟性が高いものとなる。
【００７６】
図２１は、第２溶着形態及び第３溶着形態を形成するのに好適な超音波シール装置の例を示している。この超音波シール装置では、シート接合部４０の形成に際して、外面にシート接合部４０のパターンで形成した突起部６０ａを有するアンビルロール６０と超音波ホーン６１との間に、第１シート層２０Ａ、弾性シート３０及び第２シート層２０Ｂを送り込む。この際、例えば上流側の弾性シート３０の送り込み駆動ロール６３及びニップロール６２による送り込み移送速度を、アンビルロール６０及び超音波ホーン６１以降の移送速度よりも遅くすることにより、送り込み駆動ロール６３及びニップロール６２によるニップ位置からアンビルロール６０及び超音波ホーン６１によるシール位置までの経路で、弾性シート３０をＭＤ方向（マシン方向、流れ方向）に所定の伸長率まで伸長する。この弾性シート３０の伸長率は、アンビルロール６０及び送り込み駆動ロール６３の速度差を選択することにより設定することができ、例えば３００％〜５００％程度とすることができる。６２はニップロールである。
【００７７】
アンビルロール６０と超音波ホーン６１との間に送り込まれた、第１シート層２０Ａ、弾性シート３０及び第２シート層２０Ｂは、この順に積層した状態で、突起部６０ａと超音波ホーン６１との間で加圧しつつ、超音波ホーン６１の超音波振動エネルギーにより加熱し、弾性シート３０のみを溶融するか、又は第１シート層２０Ａ及び第２シート層２０Ｂの少なくとも一方と弾性シート３０とを溶融することによって、弾性シート３０に接合孔３１を形成するのと同時に、その接合孔３１を通じて第１シート層２０Ａ及び第２シート層２０Ｂを接合する。したがって、この場合にはアンビルロール６０の突起部６０ａの大きさ、形状、離間間隔、ロール長方向及びロール周方向の配置パターンなどを選定することにより、シート接合部４０の面積率を選択することができる。
【００７８】
接合孔３１が形成される理由は必ずしも明確ではないが、弾性シート３０におけるアンビルロール６０の突起部６０ａと対応する部分が溶融して周囲から離脱することにより開孔するものと考えられる。この際、弾性シート３０における、伸縮方向ＥＤに並ぶ隣接する接合孔３１の間の部分は、図９（ａ）、図１２及び図１３に示すように、接合孔３１により伸縮方向両側の部分から切断され、収縮方向両側の支えを失うことになるため、収縮方向と直交する方向の連続性を保ちうる範囲で、伸縮方向ＥＤと直交する方向ＬＤの中央側ほど伸縮方向中央側に釣り合うまで収縮し、接合孔３１が伸縮方向ＥＤに拡大する。
【００７９】
第１シート層２０Ａ及び第２シート層２０Ｂの構成材は、特に限定無く使用できるが、通気性を有することが好ましい。よって、これらの観点及び柔軟性の観点から不織布を用いることが好ましい。不織布を用いる場合、その目付けは１０〜２５ｇ／ｍ2程度とするのが好ましい。また、第１シート層２０Ａ及び第２シート層２０Ｂの一部又は全部は、一枚の資材を折り返して対向させた一対の層であっても良い。例えば、図示形態のように、ウエスト端部２３では、外側に位置する構成材を第２シート層２０Ｂとし、かつそのウエスト開口縁で内面側に折り返してなる折り返し部分２０Ｃを第１シート層２０Ａとして、その間に弾性シート３０を介在させるとともに、それ以外の部分では内側に位置する構成材を第１シート層２０Ａとし、外側に位置する構成材を第２シート層２０Ｂとして、その間に弾性シート３０を介在させることができる。もちろん、前後方向ＬＤの全体にわたり第１シート層２０Ａの構成材及び第２シート層２０Ｂの構成材を個別に設け、構成材を折り返しすることなく、第１シート層２０Ａの構成材及び第２シート層２０Ｂの構成材間に弾性シート３０を介在させることもできる。
【００８０】
弾性シート３０は特に限定されるものではなく、それ自体弾性を有する熱可塑性樹脂製のシートであれば、弾性（エラスティック）フィルムの他、伸縮不織布であってもよい。また、弾性シート３０としては、無孔のものの他、通気のために多数の孔やスリットが形成されたものも用いることができる。特に、幅方向ＷＤ（伸縮方向ＥＤ、ＭＤ方向）における引張強度が８〜２５Ｎ／３５ｍｍ、前後方向ＬＤ（伸縮方向と直交する方向ＸＤ、ＣＤ方向）における引張強度が５〜２０Ｎ／３５ｍｍ、幅方向ＷＤにおける引張伸度が４５０〜１０５０％、及び前後方向ＬＤにおける引張伸度が４５０〜１４００％の弾性シート３０であると好ましい。弾性シート３０の厚みは特に限定されないが、２０〜４０μｍ程度であるのが好ましい。
【００８１】
（着色）
前述のように、通気孔３３は、接合孔３１の縁がシート接合部４０の外周縁から伸縮方向ＥＤに離れて形成される部分であるため、弾性シート３０の伸長により変形し、展開状態に近づくほど大きくなる。また、シート接合部４０の形状（例えば円形）によっては、自然長の状態では接合孔３１の縁とシート接合部４０の外周縁とが密着し、通気孔３３が形成されない場合がある。この場合であっても、装着状態等、ある程度伸長した状態では、接合孔３１が伸縮方向ＥＤに伸長されることにより少なくともシート接合部４０の伸縮方向ＥＤの両側に通気孔３３が開口する。この通気孔３３は、通気性を向上させるものであるため、使用者に視認されるということは製品に機能的美観をもたらすことになる。そこで、弾性シート３０の外面の色及び第１シート層２０Ａ（下シート層）の外面の色の色差ΔＥを３０以上とし、弾性シート３０の外面の色と、第１シート層２０Ａの外面における通気孔３３から覗く部分の色との差により、図１２及び図１３、図１６及び図１７、並びに図２２及び図２３に示すように、通気孔３３の形状が第２シート層２０Ｂ（外側シート層）を通して視認しやすくすることは好ましい。弾性シート３０の外面３０ｓの色と第１シート層２０Ａの外面２０ｓの色との色差ΔＥは、４０以上であると特に好ましい。
【００８２】
弾性シート３０の外面３０ｓの色及び第１シート層２０Ａの外面２０ｓの色の色差ΔＥが３０以上である領域（以下、美観向上領域ともいう）は、弾性シート伸縮構造２０Ｘを有する領域の全体であっても、例えば外面に露出する露出部分のみ等、一部の領域であってもよい。ただし、美観向上領域は、一つ又は複数の通気孔３３（好ましくは接合孔３１）の全体を含む領域であることが望ましい。美観向上領域は、伸縮領域８０及び非伸縮領域７０のいずれか一方にのみ設けることも、また両方に設けることもできる。また、美観向上領域は、間隔を空けて複数個所に設けたり、異なる色差の美観向上領域を間隔を空けて又は隣接して複数個所に設けたりすることもできる。例えば、伸縮領域８０及び非伸縮領に異なる色差の美観向上領域を設けたり、ウエスト端部２３領域及びそれ以外の領域に異なる色差の美観向上領域を設けたりすることができる。
【００８３】
この種の製品は、自然長の状態で販売される。よって、自然長の状態で弾性シート３０に開口を有していない場合、製品を伸長しない限り、通気性を向上させる美観を感じることができない。よって、図１２及び図１３、図１６及び図１７、並びに図２２及び図２３に示す例の伸縮領域８０や、図２５及び図２６に示す例の非伸縮領域７０のように、自然長の状態で通気孔３３が開口していることが好ましい。
【００８４】
接合孔３１のパターンは特に限定されるものではないが、図１２及び図１３、図１６及び図１７、並びに図２２及び図２３に示す例のように、シート接合部４０を有しない部分が連続する無接合帯５１，５２が斜め格子状に存在するものであると、接合孔３１の配列も同様となる。この結果、弾性シート３０が斜め格子状（第１無接合帯５１及び第２無接合帯５２が斜めに交差する）に存在し、これが前述の色差により視認しやすくなり、斜め格子状の優れた美観を呈するようになるため好ましい。
【００８５】
弾性シート３０の外面３０ｓの色及び第１シート層２０Ａの外面２０ｓの色の色差ΔＥを調節するために、弾性シート３０及び第１シート層２０Ａのいずれか一方又は両方に着色することができる。着色方法は特に限定されないが、単一の素材を複数色に着色する場合には印刷や後染めにより行うことができ、素材全体を単一色に着色する場合には、印刷や後染めを採用することもできるが、原材料に染料又は顔料を混合する手法（いわゆる原着。例えば不織布の場合、紡糸前の原液に染料又は顔料を混ぜて着色した原液着色繊維により不織布を形成する）を採用することもできる。
【００８６】
図２４（ａ）は、弾性シート３０の外面３０ｓに印刷による着色層１００を設けた例を示しており、図２４（ｂ）は、弾性シート３０を原着により着色した例を示している。一方、図２４（ｃ）は、第１シート層２０Ａの外面２０ｓに印刷による着色層１００を設けた例を示しており、図２４（ｄ）は、第１シート層２０Ａを原着により着色した例を示している。特に、図２４（ｃ）に示す例では、第１シート層２０Ａが不織布であり、インクの浸透により着色層１００が第１シート層２０Ａの外面２０ｓだけでなく、内部にわたり設けられている場合を想定している。また、図２４（ｄ）に示す例では、第１シート層２０Ａの厚み方向の全体が着色されているが、第１シート層２０Ａを積層不織布とし、一部の層（例えば外面２０ｓを含む層）にのみ原着を行うことにより、厚み方向の一部にのみ着色することもできる。
【００８７】
弾性シート３０及び第１シート層２０Ａのいずれか一方又は両方に着色する場合、美観向上領域のみに着色しても、美観向上領域を含むより広範囲な領域、例えば素材全体にわたり着色してもよい。また、美観領域を複数設ける場合には、美観領域ごとに異なる色に着色してもよい。
【００８８】
弾性シート３０の外面３０ｓの色及び第１シート層２０Ａの外面２０ｓの色は適宜定めることができる。一例として、第１シート層２０Ａに着色する場合には、第１シート層２０Ａの着色は、ＣＩＥＬＡＢのＬ＊値が２０〜６０であり、かつａ＊値及びｂ＊値の少なくとも一方の絶対値が０〜４０であり、弾性シート３０の外面３０ｓの色は、ＣＩＥＬＡＢのＬ＊値が５０〜９０であり、かつａ＊値及びｂ＊値の少なくとも一方の絶対値が０〜４０であると好ましい。この場合、図２２及び図２３、並びに図２６に示すように、弾性シート３０の外面３０ｓの色が白又は白に近い薄い色であり、第１シート層２０Ａの外面２０ｓの色が弾性シート３０よりも濃い色（図中点模様の部分）であるため、通気孔３３が濃い色、及びそれ以外の部分が薄い色で網目状に見えるようになる。つまり、この配色は、白又は白に近い薄い色が網目状に連続するため、製品外面を明るい色調とする場合に好適である。また、この配色は、弾性シート３０に着色せずに（つまり原料色のまま）、第１シート層２０Ａに着色するだけで実現可能である。
【００８９】
弾性シート３０に着色する場合には、弾性シート３０の着色は、ＣＩＥＬＡＢのＬ＊値が２０〜６０であり、かつａ＊値及びｂ＊値の少なくとも一方の絶対値が０〜４０であり、第１シート層２０Ａの外面２０ｓの色は、ＣＩＥＬＡＢのＬ＊値が５０〜９０であり、かつａ＊値及びｂ＊値の少なくとも一方の絶対値が０〜４０であると好ましい。この場合、図１２及び図１３、並びに図１６及び図１７に示すように、第１シート層２０Ａの外面２０ｓの色が白又は白に近い薄い色であり、弾性シート３０の外面３０ｓの色が第１シート層２０Ａよりも濃い色であるため、通気孔３３が薄い色、及びそれ以外の部分が濃い色（図中点模様の部分）で網目状に見えるようになる。つまり、この配色は、濃い色が網目状に連続するため、濃い又は暗い色調とする場合に好適である。また、この配色は、第１シート層２０Ａに着色せずに（つまり原料色のまま）、弾性シート３０に着色するだけで実現可能である点でも好ましい。
【００９０】
第２シート層２０Ｂの透光性は、弾性シート３０の外面３０ｓの色及び第１シート層２０Ａの外面２０ｓにおける通気孔３３から覗く部分の色が、第２シート層２０Ｂを通して透視可能である限り特に限定されるものではないが、ＪＩＳ  Ｌ  １９１３：２０１０に規定される透光性（ＪＩＳ法）による透光率が５０％以上、特に６５％以上の不織布であると、通気孔３３の形状の視認性に優れるようになるため好ましい。第２シート層２０Ｂは非着色（つまり原料色のまま）とすることが望ましいが、着色してもよい。
【００９１】
＜明細書中の用語の説明＞
明細書中の以下の用語は、明細書中に特に記載が無い限り、以下の意味を有するものである。
【００９２】
・「前身頃」「後身頃」は、パンツタイプ使い捨ておむつの前後方向中央を境としてそれぞれ前側及び後側の部分を意味する。また、股間部は、パンツタイプ使い捨ておむつの前後方向中央を含む前後方向範囲を意味し、吸収体が括れ部を有する場合には当該括れ部を有する部分の前後方向範囲を意味する。
【００９３】
・「最大伸び」とは、伸縮方向ＥＤの伸びの最大値（換言すれば第１シート層及び第２シート層が収縮や弛み無く平坦に展開した展開状態の伸び）を意味し、展開状態の長さを自然長を１００％としたときの百分率で表すものである。
【００９４】
・「面積率」とは単位面積に占める対象部分の割合を意味し、対象領域（例えば伸縮領域８０、非伸縮領域７０）における対象部分（例えばシート接合部４０、接合孔３１の開口、通気孔）の総和面積を当該対象領域の面積で除して百分率で表すものであり、特に伸縮構造を有する領域における「面積率」とは、展開状態の面積率を意味するものである。対象部分が間隔を空けて多数設けられる形態では、対象部分が１０個以上含まれるような大きさに対象領域を設定して、面積率を求めることが望ましい。
【００９５】
・「伸長率」は、自然長を１００％としたときの値を意味する。例えば、伸長率が２００％とは、伸長倍率が２倍であることと同義である。
【００９６】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００９７】
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
【００９８】
・上記以外の「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００９９】
・「引張強度」及び「引張伸度（破断伸び）」は、試験片を幅３５ｍｍ×長さ８０ｍｍの長方形状とする以外は、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとして測定される値を意味する。引張試験機としては、例えばＳＨＩＭＡＤＺＵ社製のＡＵＴＯＧＲＡＰＨ  ＡＧＳ−Ｇ１００Ｎを用いることができる。
【０１００】
・「伸長応力」とは、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとする引張試験により、弾性領域内で伸長するときに測定される引張応力（Ｎ／３５ｍｍ）を意味し、伸長の程度は試験対象により適宜決定することができる。試験片は幅３５ｍｍ、長さ８０ｍｍ以上の長方形状とすることが好ましいが、幅３５ｍｍの試験片を切り出すことができない場合には、切り出し可能な幅で試験片を作成し、測定値を幅３５ｍｍに換算した値とする。また、対象領域が小さく、十分な試験片を採取できない場合であっても、伸長応力の大小を比較するのであれば、適宜小さい試験片でも同寸法の試験片を用いる限り少なくとも比較は可能である。引張試験機としては、例えばＳＨＩＭＡＤＺＵ社製のＡＵＴＯＧＲＡＰＨ  ＡＧＳ−Ｇ１００Ｎを用いることができる。
【０１０１】
・「ＣＩＥＬＡＢ」のＬ＊値、ａ＊値及びｂ＊値は、ＪＩＳ  Ｚ  ８７８１−４「第  ４  部：ＣＩＥ  １９７６  Ｌ＊ａ＊ｂ＊色空間」に準じて、次のように測定することができる。すなわち、第１シート層（下シート層）及び弾性シートをそれぞれ単独の状態で取り出し、試料とする。そして、例えばＸ−Ｒｉｔｅ社製  Ｘ−Ｒｉｔｅ  ｅＸａｃｔ  Ｓｔａｎｄｅｒｄ（測定径：１．５ｍｍ）等の測定装置を使用し、展開状態の試料の内面に白色反射標準（白色板）配置した状態で、試料の適所（第１シート層（下シート層）においてはシート接合部が無い部分の外面、及び弾性シートにおいては接合孔が無い部分の外面）を任意に３点定め、各点のＬ＊値、ａ＊値及びｂ＊値を測定し、平均値を測定値とする。なお、シート接合部及び接合の間隔に対して測定装置の測定径が大きく、第１シート層（下シート層）におけるシート接合部が無い部分のみを測定できない場合や、弾性シートにおける接合孔が無い部分のみを測定できない場合には、製品と同一の素材を用いて試料を作製し、Ｌ＊値、ａ＊値及びｂ＊値を測定することができる。また、第１シート層（下シート層）におけるシート接合部が無い部分のみ、及び弾性シートにおける接合孔が無い部分のみを多数切り出し、白色反射標準（白色板）上に隙間や重なり、それによる影がほとんど生じないように並べて貼り付け、Ｌ＊値、ａ＊値及びｂ＊値を測定してもよい。
【０１０２】
・「色差ΔＥ」は、上記Ｌ＊値、ａ＊値及びｂ＊値の測定値に基づいて、下記式により算出することができる。
ΔＥ＝（（ΔＬ＊）2＋（Δａ＊）2＋（Δｂ＊）2）1/2
【０１０３】
・「展開状態」とは、収縮や弛み無く平坦に展開した状態を意味する。
【０１０４】
・各部の寸法は、特に記載が無い限り、自然長状態ではなく展開状態における寸法を意味する。
【０１０５】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【０１０６】
本発明は、弾性シート伸縮構造を適用可能な伸縮領域を有するものである限り、上記例のようなパンツタイプ使い捨ておむつの他、テープタイプ、パッドタイプ等の各種使い捨ておむつ、生理用ナプキン、スイミングや水遊び用の使い捨て着用物品等、使い捨て着用物品全般における伸縮部材に利用できるものである。
【符号の説明】
【０１０７】
１０…内装体、１０Ｂ…内外固定領域、１１…トップシート、１２…液不透過性シート、１３…吸収体、１３Ｎ…括れ部分、１４…包装シート、１７…無吸収体側部、２０…外装体、２０Ａ…第１シート層、２０Ｂ…第２シート層、２０Ｃ…折り返し部分、２０Ｘ…弾性シート伸縮構造、２１…サイドシール部、２３…ウエスト端部、２４…ウエスト部弾性部材、２５…収縮襞、２９…脚周りライン、３０…弾性シート、３１…接合孔、３３…通気孔、４０…シート接合部、５１，５２…無接合帯、５１…第１無接合帯、５１ｄ…第１方向、５１ｓ…第１間隔、５１ｗ…第１幅、５２…第２無接合帯、５２ｄ…第２方向、７０…非伸縮領域、８０…伸縮領域、９０…立体ギャザー、９３…倒伏部分、９４…自由部分、９５…ギャザーシート、９６…ギャザー弾性部材、１００…着色層、Ｂ…後身頃、ＥＤ…伸縮方向、Ｆ…前身頃、Ｌ…中間部、ＬＤ…前後方向、Ｔ…胴周り部、ＷＤ…幅方向。
【図１】
2020151868.tif 000003
【図２】
2020151868.tif 000004
【図３】
2020151868.tif 000005
【図４】
2020151868.tif 000006
【図５】
2020151868.tif 000007
【図６】
2020151868.tif 000008
【図７】
2020151868.tif 000009
【図８】
2020151868.tif 000010
【図９】
2020151868.tif 000011
【図１０】
2020151868.tif 000012
【図１１】
2020151868.tif 000013
【図１２】
2020151868.tif 000014
【図１３】
2020151868.tif 000015
【図１４】
2020151868.tif 000016
【図１５】
2020151868.tif 000017
【図１６】
2020151868.tif 000018
【図１７】
2020151868.tif 000019
【図１８】
2020151868.tif 000020
【図１９】
2020151868.tif 000021
【図２０】
2020151868.tif 000022
【図２１】
2020151868.tif 000023
【図２２】
2020151868.tif 000024
【図２３】
2020151868.tif 000025
【図２４】
2020151868.tif 000026
【図２５】
2020151868.tif 000027
【図２６】
2020151868.tif 000028